(57)【特許請求の範囲】
【請求項１】
前板部と、前板部に対面して位置する背板部と、前板部と背板部との間の底側に位置し、前後方向中央部において幅方向に延在する取出口を有する底板部と、を有する家庭用薄葉紙ディスペンサーであって、
前板部及び背板部のそれぞれに形成され、幅方向に間隔をあけて上下方向に沿って延在する一対の溝部と、前記前板部及び背板部から各々対面する方向に突出するガイド部を有し、前記溝部に対して取付けられるガイド体と、各溝部からそれぞれ前板側及び背板側に一定距離離間した位置で上下方向に延在する軸部と、を備え、
前記ガイド体が、第一ガイド部と、前記第一ガイド部の基端から第一ガイド部と反対方向に延出し前記溝部に嵌合可能な第一取付け部と、前記第一ガイド部よりも突出長さの長い第二ガイド部と、前記第二ガイド部の基端から第二ガイド部と反対方向に延出し前記溝部に嵌合可能な第二取付け部と、前記軸部が通される軸穴と、を有し、その軸穴に前記軸部が遊嵌されて、溝部近傍に位置せしめられているとともに、各取付け部が溝部に対して嵌脱可能かつ前記軸部周りに回転可能に取付けられ、
前記溝部に対して第一取付け部と第二取付け部とのいずれかを嵌合することによって、前板部及び背板部から各々対面する方向に第一ガイド部が突出する形態と第二ガイド部が突出する形態とが選択される、ことを特徴とする家庭用薄葉紙ディスペンサー。
【請求項２】
前記ガイド体が、第一ガイド部から第一取付け部への延在方向と第二ガイド部から第二取付け部への延在方向とが直行する形状をなし、一方のガイド部が前記前板部及び背板部から各々対面する方向に突出している形態時に、他方のガイド部が前記前板部及び背板部と平行に位置するものである、請求項１記載の家庭用薄葉紙ディスペンサー。
【請求項３】
前記ガイド体が、第一ガイド部及び第一取付け部を有する第一部材と、第二ガイド部及び第二取付け部を有する第二部材とが、前記軸部に対して蝶番式に取付けられ、第一部材及び第二部材とがそれぞれ別途に軸部周りに回転可能とされている、請求項１記載の家庭用薄葉紙ディスペンサー。
【発明の詳細な説明】
【技術分野】
【０００１】
本発明は、家庭用薄葉紙ディスペンサーに関する。
【背景技術】
【０００２】
複数枚の家庭用薄葉紙を折り畳んで積層した束を、交換可能に内部に収め、取出口から一枚ずつ引き出すようにする家庭用薄葉紙ディスペンサーがある。このようなディスペンサーによく用いられる家庭用薄葉紙は、ペーパータオルが代表的である。そして、このペーパータオルでは、大判、中判、小判やＳ，Ｍ、Ｌサイズ又は小サイズ、中サイズ、大サイズなど製造業者において呼び方や、それら種別毎の大きさに若干の差はあるものの、概ね三規格程度の大きさに分けられている。
【０００３】
従来のディスペンサーは、その大判用、中判用、小判用等のペーパータオルの束の大きさに合わせたガイド部が内部に配されて、その束の大きさ専用に作られており、そのディスペンサーが想定するペーパータオルより小さいサイズのペーパータオルを用いると、ガイド部のガイド機構が働かず、引き出しがスムーズに行えないという問題があった。
【先行技術文献】
【特許文献】
【０００４】
【特許文献１】特許第４６１５５５０号
【特許文献２】特許第４２２８０８３号
【特許文献３】特許第４１８０３３４号
【特許文献４】特許第５５７９５１９号
【特許文献５】特許第５３０１８２４号
【特許文献６】特許第４８４７６２６号
【発明の概要】
【発明が解決しようとする課題】
【０００５】
そこで、本発明の主たる課題は、使用するペーパータオル等の家庭用薄葉紙の束の大きさに応じたガイド機構を働かせることができ、異なる大きさの家庭用薄葉紙の束を使用しても、そのいずれでもスムーズに取り出すことができる家庭用薄葉紙ディスペンサーを提供することにある。
【課題を解決するための手段】
【０００６】
上記課題を解決した本発明は以下のとおりである。
【０００７】
〔請求項１記載の発明〕
前板部と、前板部に対面して位置する背板部と、前板部と背板部との間の底側に位置し、前後方向中央部において幅方向に延在する取出口を有する底板部と、を有する家庭用薄葉紙ディスペンサーであって、
前板部及び背板部のそれぞれに形成され、幅方向に間隔をあけて上下方向に沿って延在する一対の溝部と、前記前板部及び背板部から各々対面する方向に突出するガイド部を有し、前記溝部に対して取付けられるガイド体と、各溝部からそれぞれ前板側及び背板側に一定距離離間した位置で上下方向に延在する軸部と、を備え、
前記ガイド体が、第一ガイド部と、前記第一ガイド部の基端から第一ガイド部と反対方向に延出し前記溝部に嵌合可能な第一取付け部と、前記第一ガイド部よりも突出長さの長い第二ガイド部と、前記第二ガイド部の基端から第二ガイド部と反対方向に延出し前記溝部に嵌合可能な第二取付け部と、前記軸部が通される軸穴と、を有し、その軸穴に前記軸部が遊嵌されて、溝部近傍に位置せしめられているとともに、各取付け部が溝部に対して嵌脱可能かつ前記軸部周りに回転可能に取付けられ、
前記溝部に対して第一取付け部と第二取付け部とのいずれかを嵌合することによって、前板部及び背板部から各々対面する方向に第一ガイド部が突出する形態と第二ガイド部が突出する形態とが選択される、ことを特徴とする家庭用薄葉紙ディスペンサー。
【０００８】
〔請求項２記載の発明〕
前記ガイド体が、第一ガイド部から第一取付け部への延在方向と第二ガイド部から第二取付け部への延在方向とが直行する形状をなし、一方のガイド部が前記前板部及び背板部から各々対面する方向に突出している形態時に、他方のガイド部が前記前板部及び背板部と平行に位置するものである、請求項１記載の家庭用薄葉紙ディスペンサー。
【０００９】
〔請求項３記載の発明〕
前記ガイド体が、第一ガイド部及び第一取付け部を有する第一部材と、第二ガイド部及び第二取付け部を有する第二部材とが、前記軸部に対して蝶番式に取付けられ、第一部材及び第二部材とがそれぞれ別途に軸部周りに回転可能とされている、請求項１記載の家庭用薄葉紙ディスペンサー。
【発明の効果】
【００１０】
以上のとおり、本発明によれば、使用する家庭用薄葉紙の束の大きさに応じたガイド機構を働かせることができ、異なる大きさの家庭用薄葉紙の束を使用しても、そのいずれでもスムーズに取り出すことができる家庭用薄葉紙ディスペンサーが提供される。
【図面の簡単な説明】
【００１１】
【図１】家庭用薄葉紙ディスペンサーの正面図である。
【図２】家庭用薄葉紙ディスペンサーの側面図であり、開閉構造を説明する図である。
【図３】家庭用薄葉紙ディスペンサーの横断面図である。
【図４】家庭用薄葉紙ディスペンサーの縦断面図である。
【図５】ガイド体を説明するための斜視図である。
【図６】ガイド体の動きを説明するための図である。
【図７】家庭用薄葉紙ディスペンサーの他の態様の横断面図である。
【図８】家庭用薄葉紙ディスペンサーの他の態様の縦断面図である。
【図９】他のガイド体を説明するための斜視図である。
【図１０】他のガイド体の動きを説明するための図である。
【発明を実施するための形態】
【００１２】
次いで、本発明の実施の形態を図１〜１０を参照しながら以下に詳述する。
【００１３】
〔第一実施形態〕
本形態の家庭用薄葉紙ディスペンサー１００（以下、単にディスペンサーという）は、その素材が例えばＡＢＳ樹脂等の合成樹脂や金属素材等で形成された筐体１の内部に、略直方体形状の家庭用薄葉紙２の束２Ａ（２Ｂ）を収め、底板部３０に形成された取出口１３から、束２Ａ（２Ｂ）を構成する家庭用薄葉紙２を一枚ずつ引き出すようにして使用される。
【００１４】
前記筐体１は、前板部１０と、前板部１０に対面して位置する背板部２０と、前板部１０と背板部２０との間の底側に位置し、前後方向中央部において幅方向に延在する取出口１３を有する底板部３０と、を有しており、前記前板部１０が、図示されない軸を介してハッチ式に取付けられ、図２中一点鎖線で示すようにその前板部１０を手前に引き下げることにより、筐体１が前面開放状態となり、筺体内部に家庭用薄葉紙２の束２Ａ（２Ｂ）が収納可能となる。なお、図示の形態では、背板部２０と底板部３０とが別体となっているが、これらは一体的な構造であってもよい。
【００１５】
一方、このディスペンサー１００には、前記前板部１０及び背板部２０から各々対面する方向に突出するガイド部５０が設けられており、図４、図７に示すように、そのガイド部５０の底板部側の端部５１が、内部に収納された束２Ａ（２Ｂ）に一部食い込むことで、束２Ａ（２Ｂ）の上方側の一部を支持し、取出口１３にかかる束の荷重を軽減するとともに、束の下方側を底部側へ適切に案内して、束最下位の家庭用薄葉紙がスムーズに分離されて取出口１３から引き出せるようになっている。
【００１６】
したがって、対面するガイド部５０の間隔（先端５１間の間隔）は、そのディスペンサー１００が想定する規格の家庭用薄葉紙２によって形成される束２Ａ（２Ｂ）の大きさ（前後方向長さ）に応じて設定され、対面するガイド部５０の間隔より、短い前後方向長さの束は、底板部３０側に落ち込み引き出しがスムーズに行えなくなる。
【００１７】
なお、家庭用薄葉紙２の束２Ａ（２Ｂ）の前後方向長さは、ペーパータオルを例にとれば、規格によって異なるが、大判、中判などと称されるペーパータオルによる束２Ａで１０５〜１２５ｍｍ程度、小判などと称されるペーパータオルによる束２Ｂで７５〜９５ｍｍ程度である。なお、図示の形態では、ガイド部５０の底板部側の端部５１が前板側、背板側にやや突出する凸部を有する形状となっているが、このような凸部がなく、単に上方から下方に向かって下り傾斜する形状で先端又は先端部分が形成される形状であってもよい。なお、一般にガイド部材は、このような端部を有しており、ガイド部間の間隔は、束２Ａ（２Ｂ）に食い込む部分の先端の間隔であり、本発明においても同様である。
【００１８】
そして、本実施形態に係るディスペンサー１００では、上記ガイド部５０にかかる構造が特徴的となっており、特に、そのガイド部５０間の間隔が選択でき、複数の規格の家庭用薄葉紙２の束２Ａ又は束２Ｂに対応できるようになっている。その構造は、前板部１０及び背板部２０のそれぞれに、幅方向に間隔をあけて上下方向に沿って延在する一対の溝部５２が形成されているとともに、その溝部５２からそれぞれ前板側及び背板側に一定距離離間した位置で上下方向に延在する軸部５３が配され、その軸部５３を介して、前記溝部５２にガイド部５０を有するガイド体５，５が取付けられている。
【００１９】
そのガイド体５は、前記筐体１と同様にその素材が例えばＡＢＳ樹脂等の合成樹脂や金属素材等の硬質材で形成され、大判又は中判等の比較的大きい規格のペーパータオル等の家庭用薄葉紙の束２Ａの大きさに対応する長さの突出長さを有する第一ガイド部５０Ａと、この第一ガイド部５０Ａより突出長さが長く、小判等の比較的小さい規格のペーパータオル等の家庭用薄葉紙の束２Ｂの大きさに対応する第二ガイド部５０Ｂとを有しており、また、各々のガイド部５０Ａ，５０Ｂの基端から延在するようにして、第一取付け部５５Ａと第二取付け部５５Ｂとが形成されている。本実施形態では、各ガイド部５０Ａ，５０Ｂ及び各取付け部５５Ａ，５５Ｂが薄板状をなし、第一ガイド部５０Ａから第一取付け部５５Ａへの延在方向と第二ガイド部５０Ｂから第二取付け部５５Ｂへの延在方向とが直行する断面十字形状をなすものとなっている。
【００２０】
各取付け部５５Ａ，５５Ｂは、前板部１０及び背板部２０に形成された溝部５２に対して嵌合可能に形成され、そのいずれかの取付け部５５Ａ，５５Ｂを溝部５２に対して嵌合させることで、溝部５２に対して取付けられる。特に、第一取付け部５５Ａを溝部５２に嵌合した際には、図３及び図４に示すように、前板部１０及び背板部２０から第一ガイド部５０Ａが各々対面する面に向かって突出するようになり、第二取付け部５５Ｂを溝部５２に嵌合した際には、図７及び図８に示すように、前板部１０及び背板部２０から第二ガイド部５０Ｂが各々対面する面に向かって突出するようになる。また、図３及び図４に示すように、第一ガイド部５０Ａが前板部１０及び背板部２０から各々対面する方向に突出している形態時には、第二ガイド部５０Ｂ及び第二取付け部５５Ｂは、前板部１０及び背板部２０と平行に位置するようになり、図７及び図８に示すように、第二ガイド部５０Ｂが前板部１０及び背板部２０から各々対面する方向に突出している形態時には、第一ガイド部５０Ａ及び取付け部５５Ａは、前板部１０及び背板部２０と平行に位置するようになる。特に、図５に示すように、各溝部５２の深さが各取付け部５５Ａ，５５Ｂの延在長さより長いか一致しており、各溝部５２に第一取付け部５５Ａ又は第二取付け部５５Ｂを嵌合させた際には、前板部１０及び背板部２０と平行となる第一又は第二のガイド部５０Ａ（５０Ｂ）及び第一又は第二の取付け部５５Ａ（５５Ｂ）がそれら前板部１０又は背板部２０に対して面接するように形成され、ディスペンサー内に不要な凸部分を形成しない、好ましい形態となっている。
【００２１】
また、ガイド体５には、特に図５及び図７に示すように、溝部５２からそれぞれ前板側又は背板側に一定距離離間した位置で上下方向に延在する前記軸部５３が通される軸穴５４が形成されており、この軸穴５４が、第一ガイド部５０Ａから第一取付け部５５Ａへの延在方向と第二ガイド部５０Ｂから第二取付け部５５Ｂへの延在方向の各々の方向に沿う方向が長手とされた、直交する二つの長穴が互い交点で連結一体化されたものとなっており、その軸穴５４に前記軸部５３が遊嵌されることで、ガイド体５が溝部５２の近傍位置において、各取付け部５５Ａ（５５Ｂ）が溝部５２に対して嵌脱可能であり、かつ各取付け部５５Ａ（５５Ｂ）が溝部５２から離脱した状態で前記軸部５３周りに回転可能に、遊びをもって取付けられている。また、溝部５２から離脱した状態においても、ガイド体５がディスペンサー内面に倒れこむことがないようになっている。特に、図示の形態は、前記軸穴５４が、その短手の長さが軸部５３の幅方向長さ（直径）とほぼ一致しており、ガイド体５の動きが幅方向に規制されやすく前後方向に移動しやすくなっている。このため、前板部１０をあけて家庭用薄葉紙２の束２Ａ（２Ｂ）を収め、前板部１０を閉じるという操作を行なうだけで、いずれかの取付け部５５Ａ，５５Ｂが溝部５２に嵌合されやすい好ましい形態となっている。
【００２２】
ここで、図示の軸部５３及び軸穴５４は、ガイド体５を上下に貫通する貫通孔として形成され、また、軸部５３は、天面部分や底面部分を構成する適宜の位置にその両端部が固定された一本の芯棒として形成されているが、本発明における軸穴５４及び軸部５３は、この形態に限られない。例えば、軸部は、筐体を構成する天面部分や底面部分から突出する凸部として形成してもよいし、前板部及び背板部から各々対面する方向に向かって突出する軸形成部を配し、その先端部に上下方向に突出する軸部を形成するようにしてもよい。
【００２３】
また、軸穴は、ガイド体の上面部分や底面部分に底部を有する穴として形成してもよいし、必ずしも第一ガイド部から第一取付け部への延在方向と第二ガイド部から第二取付け部への延在方向の各々の方向に沿う方向が長手とされた長穴が互いに連結一体化されたものとする必要もない。
【００２４】
以上の本実施形態のディスペンサーでは、特に、図３及び図４に示すように、例えば、大判、中判等の比較的大きい規格のペーパータオル等の家庭用薄葉紙の束２Ａを使用する際には、第一取付け部５５Ａを溝部５２に嵌合して前板部１０及び背板部２０から第一ガイド部５０Ａが各々対面する面に向かって突出する形態で使用し、また、小判等の比較的小さい規格のペーパータオル等の家庭用薄葉紙２の束２Ｂを使用する際には、第二取付け部５５Ｂを溝部５２に嵌合して前板部１０及び背板部２０から第二ガイド部５０Ｂが各々対面する面に向かって突出する形態で使用する。そして、その形態の切り替えは、特に、図６（Ａ）〜（Ｄ）に示すように、溝部５２に嵌合されている一方の取付け部５５Ａ（５５Ｂ）を溝部５２から離脱させたうえ、軸部５３周りにガイド体５を９０°回転させ、他方の取付け部５５Ｂ（５５Ａ）を溝部５２に嵌合させる簡易な操作で達成でき、その際、ガイド体５が軸部５３によって前板部１０及び背板部２０近傍に位置されて離脱するということもない。
【００２５】
このように、本実施形態のディスペンサー１００では、使用する家庭用薄葉紙２の束２Ａ，２Ｂの大きさに応じたいずれかのガイド部５０Ａ，５０Ｂを選択することができ、使用する家庭用薄葉紙２の束２Ａ（２Ｂ）の大きさに応じたガイド機構を働かせることができ、異なる大きさの家庭用薄葉紙の束２Ａ（２Ｂ）を使用しても、そのいずれでもスムーズに取り出すことができる。なお、本発明における家庭用薄葉紙は、この種のディスペンサーに用いられるものであれば、特に限定されるものではなく、上記のとおり手拭き用途が主であるペーパータオルが代表的であるが、その他、清掃用途を主とするワイプ、工業製品や機具、用具の拭き取りを主とするウェス、厨房での使用を主とするキッチンペーパー、食材に使用することを主とするミートペーパーなどが例示される。
【００２６】
〔第二実施形態〕
次いで、第二実施形態を説明する。このディスペンサーは、ガイド体の構造が上記第一実施形態と相違している。図９及び図１０に示されるように、このガイド体５は、第一ガイド部５０Ａ及び第一取付け部５５Ａを有する薄板状の第一部材６０Ａと、第二ガイド部５０Ｂ及び第二取付け部５５Ｂを有する薄板状の第二部材６０Ｂとが、軸部５３に対して蝶番式に取付けられ、第一部材６０Ａ及び第二部材６０Ｂとがそれぞれ別途に軸部５３周りに回転可能とされている形態である。
【００２７】
この第二形態のガイド体５を用いたディスペンサーは、大判、中判等の比較的大きい規格のペーパータオル等の家庭用薄葉紙２の束２Ａを使用する際には、第一取付け部５０Ａを溝部５２に嵌合して前板部１０及び背板部２０から第一ガイド部５０Ａが各々対面する面に向かって突出する形態で使用し、また、小判等の比較的小さい規格のペーパータオル等の家庭用薄葉紙２の束２Ｂを使用する際には、第二取付け部５５Ｂを溝部５２に嵌合して前板部１０及び背板部２０から第二ガイド部５０Ｂが各々対面する面に向かって突出する形態で使用する点で、第一実施形態と同様であり、その作用効果も同じであるが、その各形態の切り替えは、特に図１０に示すように、溝部５２に嵌合されている一方の部材６０Ａ（６０Ｂ）の取付け部５５Ａ（５５Ｂ）を溝部５２から離脱させたうえ、その一方の部材６０Ａ（６０Ｂ）を軸部５３周りに９０°回転させ、さらに、他方の部材６０Ｂ（６０Ａ）を軸部５３周りに９０°回転させたうえ、その他方の部材６０Ｂ（６０Ａ）の取付け部５５Ｂ（５５Ａ）を溝部５２に嵌合させるという操作で達成される。
【符号の説明】
【００２８】
１００…家庭用薄葉紙ディスペンサー、１…筐体、２…家庭用薄葉紙ペーパータオル、２Ａ，２Ｂ…家庭用薄葉紙の束、１３…取出口、１０…前板部、２０…背板部、３０…底板部、５０…ガイド部、５１…ガイド部の端部、５２…溝部、５３…軸部、５…ガイド体、５０Ａ…第一ガイド部、５０Ｂ…第二ガイド部、５５Ａ…第一取付け部、５５Ｂ…第二取付け部、５４…軸穴、６０Ａ…第一部材、６０Ｂ…第二部材。
【図１】
0006473363.tif 000002
【図２】
0006473363.tif 000003
【図３】
0006473363.tif 000004
【図４】
0006473363.tif 000005
【図５】
0006473363.tif 000006
【図６】
0006473363.tif 000007
【図７】
0006473363.tif 000008
【図８】
0006473363.tif 000009
【図９】
0006473363.tif 000010
【図１０】
0006473363.tif 000011